(57)【要約】【課題】  ＷＷＷ用のプロトコルＨＴＴＰをプリンタ以外のアプリケーションに応用したシステムを提供して、ユーザーの操作性をさらに向上する。【解決手段】  少なくともネットワーク機能とＦＡＸ機能とを備えた電子機器と、ネットワークコンピュータとからなるシステムであって、前記電子機器は、送信ログと受信画像へのリンクを貼った受信ログをＨＴＭＬファイルとして生成する機能を有し、ネットワークコンピュータからのＦＡＸ状況の問い合わせへの応答と受信ログに貼ったリンクにより受信画像とを、前記コンピュータから確認可能とする。【選択図】  図２
2006059375.tif 000002
【特許請求の範囲】
【請求項１】
ネットワークを介して接続される情報処理装置と通信可能な電子機器であって、
前記電子機器への設定を受け付ける設定受付手段と、
前記設定受付手段が設定を受け付けた場合、設定作業が行われていることを表示する表示手段と、
前記情報処理装置からの、前記表示手段の表示情報の要求を受信する受信手段と、
前記受信手段で受信した要求に基づき前記表示情報のＨＴＭＬデータを生成する表示情報生成手段と、
前記表示情報生成手段で生成されたＨＴＭＬデータを前記情報処理装置に送信する送信手段と、を備え、
前記表示情報生成手段は、前記設定受付手段が設定を受け付けた場合、設定作業が行われていることを表示する表示情報のＨＴＭＬデータを生成し、前記送信手段は該ＨＴＭＬデータを前記情報処理装置に送信することを特徴とする電子機器。
【請求項２】
前記設定作業が行われていることを表示する表示情報のＨＴＭＬデータには、エラーメッセージを含むことを特徴とする請求項１記載の電子機器。
【請求項３】
前記受信手段及び前記送信手段は、ｈｔｔｐにより前記情報処理装置との通信を行うことを特徴とする請求項１または２に記載の電子機器。
【請求項４】
請求項１乃至３のいずれか１項に記載の電子機器と通信可能なことを特徴とする情報処理装置。
【請求項５】
請求項１乃至３のいずれか１項に記載の電子機器と、
請求項４記載の情報処理装置と、
を有することを特徴とするネットワークシステム。
【発明の詳細な説明】
【技術分野】
【０００１】
本発明は、コピー機能と、スキャナ機能と、ＦＡＸ機能と、プリンタ機能とを有する新規なネットワーク対応可能なＨＴＭＬを用いた電子機器、情報処理装置およびネットワークシステムに関する。
【背景技術】
【０００２】
従来、電子機器をパソコンに接続し、パソコンのＣＲＴ画面に、色々な設定メニューを表示させ、各種ボタン設定後に必要なデータを電子機器に送信するシステムが使用されている。
【０００３】
このようなシステムを使用した場合、ＦＡＸ等の手段を有する電子機器は、パソコン（ＰＣ）側の設定用ツールに適合したツールを作成しなければならなかったり、またＰＣの機種が異なった場合に、その機種の仕様にあったツールを用意指定しなければならず、さらに電子機器の機種が異なると、それに合わせた上記ツールの作成等を行うことがさらに必要であった。
【０００４】
また、ネットワークプリンタの広まりと共に、プリンタ側でＨＴＴＰ（HyperText Transfer Protocol）をサポートし、ネットワーク上のコンピュータからのアクセスに応答してプリンタの状態やプリンタの各種モードの設定が可能な製品が出現している。
【０００５】
またネットワーク接続機器の管理用プロトコルＳＮＭＰ（Simple Network Management Protocol）を用いて、ネットワーク上につながる各種デバイスの情報を管理出来るような、ＭＩＢ（Management Information Base ）と称されるオブジェクトの標準化が進められている。
【０００６】
さらにインターネットプリンティングと称して、インターネット経由で指定したプリンタに対しプリント出力をおこなうことができるようなシステムも出現しつつある。
【発明の開示】
【発明が解決しようとする課題】
【０００７】
このように、従来、電子機器をパソコン（パーソナルコンピュータ、以下パソコンという）等に接続し、パソコンの画面（ＣＲＴ画面あるいは液晶画面等）に、色々な設定メニューを表示させ、各種ボタン設定後に必要なデータを電子機器に送信して電子機器を操作するシステムが使用されていた。
【０００８】
前記システムを使用した場合、パソコン側に設定用ツールを作成しなければならなかったり、またパソコンの機種が異なると、その機種の仕様に適合したツールを各パソコン毎に用意指定しなければならず、さらに電子機器が異なるとその電子機器毎に適合させて上記したツールを作成する必要があった。このように、使用するコンピュータ毎、使用される電子機器毎に面倒なツールを作成等しなければならないなど、問題がある。
【０００９】
このような状況にあって、たとえば電子メールの普及と共にＦＡＸの利用頻度は激減すると予想されているが、電子メールを持たない相手との情報交換をする場合、依然としてＦＡＸは重要な役割を果たすため多用されており、今後ともＦＡＸ手段の重要性は高く見込まれており、ＦＡＸそのものは無くなる事は無いように思われる。
【００１０】
しかしながら、このような電子機器においては前記した着信頻度の低下等により、ＦＡＸの着信の有無を定期的に確認にいくのでは非効率であり、できれば席に居ながらにして着信を確認できるようなシステムが望まれる。
【００１１】
また従来機のＦＡＸにおいては、電子電話帳を利用したものが当たり前のことのようになってきている。ところが、このような電子電話帳を利用したＦＡＸにおいては、パソコンのように学習能力に優れたかな漢字変換手段がついていないため、電子電話帳の登録・修正に関しては、操作性の悪い操作部から時間をかけて入力する必要がある。
【００１２】
また大量に登録するデータがあるユーザーにおいては、メーカーのサービスステーションに対し登録名簿を出して専用のシステムで入力またはダウンロードする以外に、前記したようなＦＡＸの電子電話帳の登録・修正を行う方法が無いのが現状である。後者の場合すなわち大量に登録するデータを有するユーザーにおいて入力する場合であっても、一旦登録した後に修正が入ったり、新規追加があったりすると、修正等を加える必要があるが、この修正は操作部を介して行わなければならないため、かなり面倒な操作が必要であった。
【００１３】
また、ＦＡＸ手段、プリンタ手段、コピー手段、またはそれらの手段を２以上有するような複合機に於いて、操作部の使い勝手（操作性）は、その製品の評価を左右する重要なファクターとなる。しかしながら、このようなマシン（複合機）の大きさに適合した操作部は、コスト等により、おのずと限界がある。このように多くの制約の中で如何に操作性を向上させるかが、どのメーカーにとっても、思慮すべきところである。
【００１４】
たとえばこのような操作部を、液晶画面で作成する場合には、４行表示のＬＣＤより４００×２５６ドットのＬＣＤ画面の方が、操作性は向上し、さらに白黒ＬＣＤよりカラーＬＣＤの方が、操作性が向上するといった具合である。またネットワークに連結されると、リモートで使用できるが、ある者が電子機器を使用中に他の者のジョブが実行されることとなると、せっかく使用していた電子機器の設定そのものを再度設定する必要があったり、ジョブを実行中に他のジョブの排他をどうするか考えなくてはならないなど問題がある。
【００１５】
本発明は、前述したような問題に鑑み、インターネットで使用されているＷＷＷ（World Wide Web）用のプロトコルＨＴＴＰ（Hyper Text Transfer Protocol）をプリンタ以外のアプリケーションにも応用したシステムを提供することによって、ユーザーの操作性をさらに向上することを目的としている。本発明は、さらにＷＷＷブラウザで表示するためのＨＴＭＬ（Hyper Text Markup Language）を用いて、ネットワーク上のパソコンから、ユーザーが容易にＦＡＸの電話帳を登録・編集可能にすることを目的としている。
【００１６】
また本発明は、ＷＷＷブラウザで表示するためのＨＴＭＬを用いて、ネットワーク上のパソコンから、ユーザーが容易にＦＡＸの電話帳を登録・編集可能にすることを目的としている。
【００１７】
また本発明は、ＨＴＭＬを用いて機種毎の操作部に適合可能に書くことができ、電子機器の操作部とパソコン上の擬似操作部とを、同様な表示および動作に設定して、パソコンの種類に左右されることの無いシステムを提供することを目的とする。
【００１８】
さらに本発明は、マシン毎にユニークな操作部画面やハードキーを、擬似的にネットワークのパソコン上に表示させ、複雑な動作モードであっても登録可能とすることを目的とする。
【課題を解決するための手段】
【００１９】
上記目的を達成すべく、請求項１に記載の発明は、ネットワークを介して接続される情報処理装置と通信可能な電子機器であって、電子機器への設定を受け付ける設定受付手段と、設定受付手段が設定を受け付けた場合、設定作業が行われていることを表示する表示手段と、情報処理装置からの、表示手段の表示情報の要求を受信する受信手段と、受信手段で受信した要求に基づき表示情報のＨＴＭＬデータを生成する表示情報生成手段と、表示情報生成手段で生成されたＨＴＭＬデータを情報処理装置に送信する送信手段と、を備え、表示情報生成手段は、設定受付手段が設定を受け付けた場合、設定作業が行われていることを表示する表示情報のＨＴＭＬデータを生成し、送信手段は該ＨＴＭＬデータを情報処理装置に送信することを特徴とする。
【００２０】
請求項２記載の発明は、請求項１記載の発明において、設定作業が行われていることを表示する表示情報のＨＴＭＬデータには、エラーメッセージを含むことを特徴とする。
【００２１】
請求項３記載の発明は、請求項１または２に記載の発目において、受信手段及び送信手段は、ｈｔｔｐにより情報処理装置との通信を行うことを特徴とする。
【００２２】
請求項４記載の発明は、請求項１乃至３のいずれか１項に記載の電子機器と通信可能なことを特徴とする。
【００２３】
請求項５記載の発明は、請求項１乃至３のいずれか１項に記載の電子機器と、請求項４記載の情報処理装置と、を有することを特徴とする。
【００２４】
本発明では、他人が電子機器１１（マシン）を使用していても、リモートで擬似操作部４０２を表示させて、複雑な動作モードの登録を可能にする。例えば、コピーの両面、２ｉｎ１（集約印刷：たとえばＡ３サイズの大きさの用紙に、この用紙の半分の大きさであるＡ４サイズ用紙２枚を印刷すること）、ステープル、排紙トレイの設定などをマシンの操作部４０１から行おうとすると、一般のマシンでは上記操作部は白黒２色の画面となっており、この画面の大きさも制限されている事が多く、しかも広範囲に設定項目が存在することなどのため、面倒である。
【００２５】
これらをローカルなパーソナルコンピュータ（パソコン）上の画面で行い、実際にコピーする場合にマシンに出向いて、登録したジョブを呼び出し、原稿をセットしてスタートスイッチを操作するだけで、上記したような面倒な設定をあらためて行うことなく、ファックス等が簡単にできる。
【００２６】
またこのようなスタートスイッチを操作後、たとえばローカルなパソコンで設定した情報がマシン使用中に入力され、その結果、入力された情報によって、不意に他人のジョブがマシンに反映されてしまうような事が有ってはならない。
【００２７】
従って本発明においては、好ましくは入力されたジョブをマシンが呼び出す形式にすれば、回避可能となる。
【発明の効果】
【００２８】
本発明によれば、ネットワーク上のコンピュータ１２からＦＡＸの着信状況が確認でき、着信ファイルもコンピュータ側のＷＷＷブラウザ４０２で確認可能になる。送信結果に対しても実機（電子機器１１）におもむく必要なく、リモートで送信結果を確認できる。
【発明を実施するための最良の形態】
【００２９】
以下、本発明の実施の形態について、図面を用いて詳細に説明する。図１に、ＦＡＸの通信ログのＨＴＭＬファイルを、ネットワーク上のパソコンの表示部に表示させた例を示す。たとえば送信ログのリンクを押下した場合を図１（ｃ）に、また受信ログのリンクを押下した場合を図１（ｂ）に、それぞれ示すように、表示部に画面表示される。
【００３０】
図２に、本発明の実施形態であるネットワークシステムの構成を示す。図２（ａ）に示すように、電子機器１１と、情報処理装置であるネットワークコンピュータ（パソコン１２）とが、ネットワーク回線１３を介して連結されている。ネットワーク手段とＦＡＸ手段を搭載した電子機器１１（たとえばデジタル複合機）の簡単なブロック図とイベントの流れを示す。
【００３１】
以下、本発明の第１の実施形態の動作を、図２に基いて説明する。本実施形態のネットワークシステムは、少なくともネットワーク手段２０２とＦＡＸ手段２０１とを備えた電子機器１１と、ネットワークコンピュータ１２とから構成されている。
【００３２】
これら電子機器１１と、ネットワークコンピュータ１２とは、ネットワーク回線１３を介してインターネットに接続され、外部データベースとしてのＷＷＷサーバから情報を取得するように設定されている。
【００３３】
そしてネットワークアプリ２０２（以下、同様にアプリケーションを単に「アプリ」ということがある。）中に書かれているｈｔｔｐｄ２１００（Hyper TextTransfer Protocol Daemon ）は、ＷＷＷを実現するためのサーバとなっている。なお図２（Ｂ）において、電子機器内１１に設けられた各種アプリの構成を示す。この図において、電子機器１１は、プロッタ手段２０４とスキャナ手段２０５も有している。
【００３４】
次にネットワークコンピュータ１２から、電子機器１１に要求があった後の動作を、図面を参照しつつ、説明する。ネットワーク上のパソコン１２を介してネットワークコンピュータ１２から、電子機器１１にアクセスがあると、電子機器１１内に設けられたＦＡＸアプリ２０１に対し、受信ログ１０１と送信ログ１０２が要求される（ステップＳ１０１）。ＦＡＸアプリ２０１は、各ログ（１０１、１０２）に対する詳細情報と受信ファイルとを関連付けて管理している。ネットワークアプリ２０２では、電子機器１１内のＦＡＸアプリ２０１からのこれらの情報を受け、ＨＴＭＬファイルを作成し（ステップＳ１０２）、要求の有った（即ちアクセスのあった）パソコン１２に返信する。
【００３５】
パソコン１２側ではＷＷＷブラウザがこのＨＴＭＬファイルを表示する（ステップＳ１０３）。受信ログ１０１には、図１（ａ）に示すように、たとえば日付１０１１ａ、時刻１０１１ｂ、送信側の登録名称１０１１ｃ、電話番号１０１２ｄ（ＲＴＩまたはＣＳＩ）等の情報が一覧になって表示され、これによって電子機器１１の着信の有無や、事前にＦＡＸを送った旨の情報を受けていなくとも、ＦＡＸ手段を有する電子機器１１の設置場所へ出向くことなく、ＦＡＸの着信をコンピュータ１２の画面上により確認出来る。
【００３６】
ＦＡＸ情報の詳細（発信人、ＦＡＸの枚数の情報等）をさらに確認したい場合は、コンピュータ１２を介してインターネット上で確認したい該当ログ（１０１、１０２）をクリックすればよい。これにより、マシン（電子機器１１）側のｈｔｔｐｄ２１００に対して、たとえばリンクを貼ったファイル（図示せず）を要求することができる（ステップＳ１０４）。
【００３７】
この要求は、電子機器１１内のＦＡＸアプリ２０１に通知され（ステップＳ１０５）、電子機器１１内のＦＡＸ手段側ではＦＡＸアプリ２０１を介して、圧縮（ＭＲ、ＭＭＲ等）されたファイルを伸張し、電子機器１１内のネットワークアプリ２０２に渡す。ネットワークアプリでは、ＷＷＷブラウザが表示可能なイメージの圧縮モード（ＪＰＥＧ、ＧＩＦ）に変換し、たとえばネットワークパソコン１２にこの情報を、ネットワーク回線１３を介して渡す。
【００３８】
たとえば送信ログ１０２に関する詳細情報をパソコン側から、例えば送信先が「神奈川中央」に送付したことを確認する要求がされると、図１（ａ）の送信ログにアクセスしてリンクを押下したときの、要求・応答の流れは前述したのと同様であり、要求を受けた電子機器１１内のＦＡＸアプリ２０１は、図１（ａ）および（ｃ）に示すように、相手先を「神奈川中央」に指定したときの送信結果１０３１、送信日時１０３２、送信枚数１０３３、通信時間１０３４、通信速度１０３５等々の情報をＴＥＸＴ情報として、アプリ制御部２１０を介してネットワークアプリ２０２に渡す（ステップＳ１０５）。その後、このＴＥＸＴ情報はネットワークアプリ２０２内でＨＴＭＬフォーマットに変換され（ステップＳ１０６）、ネットワークアプリ２０２中のｈｔｔｐｄ２１００を介して（ステップＳ１０７）ネットワークパソコン１２等に返信される。以上のようにして、本発明は実現される。
【００３９】
次に本発明の第２の実施形態について説明する。なおシステムの構成は前記と同様である。本発明を実現するためのＷＷＷブラウザによる表示画面を図６に示す。ネットワーク上のパソコン１２から電子機器１１内のＦＡＸアプリ２０２手段に設けられた電子電話帳に対してアクセスがあると、上記第１の実施形態で示した場合と同様に、ネットワークアプリ２０２から、アプリ制御部２１０を介して、電子機器１１内のＦＡＸアプリ２０１に対し電話帳の要求が出される（ステップＳ２０１）。
【００４０】
電子機器１１内のＦＡＸアプリ２０１ではこの要求を受けて、たとえばバックアップ付きのメモリ２０６を参照して電子機器１１内に設けられた電話帳データから必要なデータをピックアップし、アプリ制御部２１０を介してネットワークアプリ２０２に、好ましくは前記データを自動的に渡す。その後、前記データは、電子機器１１内のネットワークアプリ２０２でＨＴＭＬファイルに変換され（ステップＳ２０２）、たとえばネットワークパソコン１２等に送信される（ステップＳ２０３）。
【００４１】
次いで変更および／または追加および／または削除編集を以下のようにして行う。たとえば図７に示すように、７頭上の「Ｎｏ．０３」の、［未使用］ボタンを選択してクリックすると、図７の（ｂ）に示したような画面が表示される。この画面上のたとえば「宛先名」と「ＴＥＬ番号」と表示された部分をインターネットに接続したコンピュータ１２画面上で入力し、次いで図８（ｂ）に示すように、コンピュータ画面上で、「登録」と表示されたボタンを押下すると（ステップＳ２０５）、これらの登録データが電子機器１１（デジタル複合機）側のネットワークアプリ２０２内にあるｈｔｔｐｄ２１００に渡され（ステップＳ２０６）、最初にネットワークアプリ２０２内のＨＴＴＰＤ２１００によりＨＴＭＬファイルは、アプリ制御部２１０を介してメモリ２０６に登録されていたＨＴＭＬファイルをネットワークアプリ２０２上に呼び出しこれを更新して（ステップＳ２０７）、更新した前記ＨＴＭＬファイルを再びパソコン１２に送付する（ステップＳ２０８）。なお更新したネットワークアプリ上の前記更新ファイルは、後述するように、ＦＡＸアプリ２０１により、アプリ制御部２１０を介して、メモリ２０６に記憶される。
【００４２】
これにより、図７（ａ）に示すように、たとえば登録後の「宛先名」と、「ＴＥＬ番号」がインターネットを介してコンピュータ１２等の擬似操作部に表示される。なお、この表示は、電子機器１１内の操作部４０１に表示させる事も可能である。また上記例においては入力のみを記載したが、前記宛先等のデータの入力に限らず、各種データの変更、追加、削除も同様にして行うことができる。
【００４３】
また前記排他処理に関し、ネットワーク上の複数のパソコン１２からネットワークアプリ２０２を介して呼び出されたＦＡＸの電話帳がアクセスされている場合ならびに複合機１１の操作部からネットワークアプリ２０２を介して直接電子電話帳にアクセスされている場合などでは、図５に示すようにして行なわれる。
【００４４】
電子機器１１（マシン）操作部４０１からの更新作業（ステップＳ３０１）においても、インターネット上のブラウザでの更新作業（ステップＳ３０１）においても、更新作業が行われていることを明示的な形で示すため、先に修正作業に入った場合は、これがブラウザ４０２に表示されて直ちにイベント（修正あるいは設定作業）が行われていることを通知するように設計されている。
【００４５】
これにより２番目以降の、修正作業に入ろうとする各ブラウザ４０２や複合機１１の操作部４０１に、Ｗａｒｎｉｎｇ等の表示が出され、修正作業を後から行うように表示される（ステップＳ３０３）。こうすることにより修正作業を行おうとしているオペレータは、更新作業を実行せずに回避可能とする事ができる。
【００４６】
また同時に複数のブラウザ４０２上で更新作業に入った場合であっても、最初のオペレータが「登録」ボタンを押下するまではＷａｒｎｉｎｇ等の表示が他のオペレータが操作しているコンピュータ１２にされるので、書き込みを行う際のバッティング（現在更新ジョブ実行中に、他人の更新ジョブが侵入等して妨害されることなど）を回避することができる。また、最先のジョブが実行されている間は、以後の他のオペレータが新たな「登録」ボタンを押下しても、実行禁止となるように設定されている。アクセスされたネットワークアプリ２０２では、インターネットを介して「登録」ボタンを押下した他のオペレータのコンピュータ１２に、「Ｗａｒｎｉｎｇ」等の表示をするとともにジョブの実行禁止を自動的に行うこともできる。
【００４７】
このような排他処理がなされている間に、最初の更新ボタンを図４に示したように、ブラウザ上の擬似操作部画面４０２で「登録」ボタンを押下されると、ネットワーク回線１３を介して更新された電話帳ファイルを電子機器１１内のＦＡＸアプリ２０１に渡し、ＦＡＸアプリ２０１の方でバックアップ付きメモリ２０６に実際の書き込みが行われて登録される事となる。以上のようにして、本発明の実現が可能である。
【００４８】
本発明の第３の実施形態は、電子機器１１（デジタル複合機）の操作部４０１をネットワークパソコン１２上のＷＷＷブラウザ４０２によって擬似的に表示して操作可能とするものである。以下、擬似操作画面を使用して、電子機器１１の操作設定を変更する過程を 図６に示すフローチャートを参照しつつ説明する。
【００４９】
まず、パソコン１２上で電子機器１１に発呼し、発呼に応じて、ＦＡＸアプリ２０１に電子機器の操作部画面情報の要求がなされる（ステップＳ４０１）。この要求に応じて操作部画面情報がピックアップされ、ネットワークアプリは、ＨＴＭＬファイルを作成する（ステップＳ４０２）。このファイルが要求したパソコンにネットワーク回線を介して渡され、擬似操作部としてＷＷＷブラウザ上に表示される（ステップＳ４０３）この擬似操作部上で、動作モードの変更、設定を行う（ステップＳ４０４、ステップＳ４０５）。設定をコンピュータ上のキー操作（前記同様にマウス、タッチパネル等も含む）により行った後に、図８（ｂ）に示すような、登録ボタン４０２３を押下して登録および変更を指示する（ステップＳ４０５）。前記指示が、ネットワーク回線を介して電子機器１１内のネットワークアプリに渡される（ステップＳ４０６）。渡された情報を受けてファイルが登録・更新され（ステップＳ４０７）、ｈｔｔｐｄを介してパソコン１２に返信し、モード設定の確認がＷＷＷブラウザ上で確認される（ステップＳ４０８）。
【００５０】
図８に、実際の操作部４０１をブラウザ４０２に表示した１例を示す。操作部をリモートで表示させる目的には２通りある。１つは、離れた場所からデジタル複合機の操作部４０１と同等の画面をブラウザ４０２上で再現し、またこの画面の遷移をブラウザ４０２上で実現することによって、実機１１（マシン）のある場所へ実際に行かなくても、リモートでこれを操作できるということである。
【００５１】
このような方式によれば、各種初期設定を、実機１１の現実に置かれている場所へ行って操作を行う必要がなく、リモートで同様な操作環境を実現でき、電子機器１１の実行可能となる。
【００５２】
また第２の目的としては、電子機器１１（マシン等）の操作部４０１が小さく、操作がしづらい場合、ブラウザ４０２上に、前記操作部４０１よりさらに操作性を向上した表示内容（操作部の大画面化、カラー化）に、擬似操作部４０２を設けて、操作可能とすることである。どちらの場合にもデジタル複合機１１側で、操作部４０１表示用のＨＴＭＬファイルをネットワークアプリ２０２内で準備または自動作成する方法により、コンピュータ１２画面上でのボタン押下によって、電子機器１１上の操作部画面の遷移を実現し、エラーメッセージ等の表示を含めた広範囲の設定をブラウザ４０２側での表示によって可能とする。
【００５３】
本発明の第４の実施形態は、上記第３の実施形態とほぼ同様に操作して行われるが、ボタンを押下して動作モード設定または動作モード変更しても、デジタル複合機１１の設定そのものには反映されない。
【００５４】
第４の実施形態では、ブラウザ４０２上の画面の遷移はデジタル複合機１１内の仮想画面上（ネットワークアプリ、メモリ上のファイル）で反映され、その仮想画面がＨＴＭＬファイルに変換され、ネットワーク上のブラウザ４０２に送付される。
【００５５】
これによって、ネットワーク上のパソコン１２からアクセスしている間に、実機１１が動作していても、ネットワーク上のブラウザ４０２画面に表示した操作部の設定をマシンの操作部４０１に直接反映させないで済み、したがって、マシン上でジョブを実行中であっても、これとは独立してジョブを実行でき、他のジョブを中断させる虞もない。
【００５６】
このように、ネットワーク上の複数のパソコン１２から同時に操作部４０１にアクセスする場合であっても、それぞれのモード変更は互いに独立しているので、安心して実行中のジョブを遂行可能となる。なお擬似操作部４０２での設定作業は、上記第３の実施形態の方法によって実施できる。
【００５７】
本発明では、図８（ｂ）に示すように、ネットワーク上のパソコンのブラウザ上に、図８（ａ）に示す実機上の操作部例４０１に類似した操作部（擬似操作部４０２）を実現させ、この擬似操作部４０２上で、４０１ａに対応する４０２２ａを、４０１ｂに対応する４０２２ｂ（以下、同様）等々を、ｗｗｗブラウザ上でそれぞれ設定を入力する。上記設定入力の確認後、好ましくは図４（ｂ）に示すような、「登録４０２３」ボタンが用意される。
【００５８】
この「登録４０２３（ジョブＩＤ付き手段）」ボタンを押下すると、ネットワーク回線１３を介して前述したのと同様にして、デジタル複合機（電子機器１１）のネットワークアプリ２０２からＦＡＸアプリ２０１を介して仮想画面に通知され、これによってそれまでの一連の操作が１つのジョブとみなされる。このようにして、前記した一連の操作が１つとなり、その結果が、デジタル複合機内のネットワークアプリ２０２からネットワーク回線１３を介して、図４（ｂ）に示したように、パソコン１２に「ＪＯＢ番号」が登録されたことが、「登録ＪＯＢ番号４０２１」の表示により確認され、ジョブ番号が１つ割り当てられることとなる。
【００５９】
このようにして、図８（ｂ）に示すように、割り当てられたＪＯＢが、ネットワーク上のブラウザ４０２に「登録ＪＯＢ番号４０２１（ジョブＩＤを返信する手段）」として通知・表示される。この通知・表示を受けて、ユーザーは実機１１のところへ赴き、マシン１１上の操作部４０１の、たとえば「ＪＯＢコール」と表示されたボタンを押下すると、ＪＯＢ設定内容がマシン（電子機器１１）に反映され、電子機器１１を登録されたＪＯＢ設定の内容に従って動作可能となる。なお、パソコン上で登録ＪＯＢを呼び出して、上記したのと同様にマシン１１の設定を登録ＪＯＢの内容を反映させる事もできる。
【００６０】
以上、説明したように、本発明の第１の実施形態によれば、ネットワーク上のコンピュータ１２からＦＡＸの着信状況が確認でき、着信ファイルもコンピュータ側のＷＷＷブラウザ４０２で確認可能になる。送信結果に対しても実機（電子機器１１）におもむく必要なく、リモートで送信結果を確認できる。
【００６１】
インターネット上の標準言語のＨＴＭＬフォーマットで実現するため、表示するパソコン、ＯＳなどに影響されない。なおこの効果は、他の全ての請求項に関しても同様である。
【００６２】
本発明の第２の実施形態によれば、宛先入力にパソコンの高機能な「かな漢」が使用でき、新規登録、編集を効率よくおこなえる。実機（電子機器１１）上でそれらの操作を行う必要もなく、ネットワーク上のパソコン１２から行うことができる。
【００６３】
本発明の第３の実施形態によれば、実機操作部４０１をネットワーク上のパソコン上のブラウザ４０２で擬似的に表示させる事が可能になり、同一操作性を提供でき、遠隔操作部を実現可能になる。数行程度のＬＣＤを用いた操作画面で操作性が落ちる場合も、本発明によりブラウザ上で大画面、カラー化して遠隔操作部として提供出来る。
【００６４】
さらに本発明の第４の実施形態によれば、実機（電子機器１１）が使用中であっても、ネットワーク上で仮想の操作部に設定操作を行い、設定操作に対して与えられた登録ＪＯＢ番号４０２１をもって、後で実機におもむき、その登録ＪＯＢ番号を入力すると操作内容が反映可能になる。特に複雑な設定、登録等を１度行うと、その後再度設定する場合に有効である。
【００６５】
以上、本発明の実施形態１〜４について説明したが、上記実施形態に限定されるものではなく、その要旨を逸脱しない範囲において種々の変形が可能である。
【図面の簡単な説明】
【００６６】
【図１】ＷＷＷブラウザにおけるＦＡＸログを表示した例を示す図である。
【図２】本発明に係るネットワークシステムのブロック図とイベントの流れを示したものであり、（ａ）は、ネットワークシステムの構成例を示すブロック図であり、（ｂ）は、電子機器内の構成例とイベントの流れを示す図である。
【図３】第１の実施形態に係る動作を示すフローチャートである。
【図４】第２の実施形態に係る動作を示すフローチャートである。
【図５】排他処理を示すフローチャートである。
【図６】第３の実施形態に係る動作を示すフローチャートである。
【図７】ＷＷＷブラウザにおける表示画面を示した図であり、（ａ）は、その一例を示す図であり、（ｂ）は、（ａ）のＮｏ．３のボタンを押下して「未使用」の欄を表示させたことを示す図である。
【図８】電子機器１１の操作部４０１およびブラウザ上の疑似操作部４０２を示した図であり、（ａ）は、電子機器上の操作部４０１を示す図であり、（ｂ）は、ＷＷＷブラウザ上の疑似操作部画面４０２の一例を示す図である。
【符号の説明】
【００６７】
１１    デジタル複合機（画像処理装置、電子機器の一例）
１２    パソコン（ネットワークコンピュータ、情報処理装置の一例）
１３    ネットワーク回線
２０２    ネットワークアプリ（表示情報生成手段の一例）
４０１    操作部（設定受付手段、表示手段の一例）
２１００    ｈｔｔｐｄ（受信手段、送信手段の一例）
【図１】
2006059375.tif 000003
【図２】
2006059375.tif 000004
【図３】
2006059375.tif 000005
【図４】
2006059375.tif 000006
【図５】
2006059375.tif 000007
【図６】
2006059375.tif 000008
【図７】
2006059375.tif 000009
【図８】
2006059375.tif 000010